(57)【特許請求の範囲】
【請求項１】
ガスバーナモジュール（１１）が点火兼監視電極（２４）を有するガスバーナ（１３）と、電子制御装置（２７）と、点火用電子装置（２７）と、炎監視装置（２４）と、ガス弁とを備え、前記ガスバーナモジュール（１１）の支持要素として台のようなバーナベース（１５）が設けられている、ガスレンジ用のガスバーナモジュール（１１）において、  前記ガスバーナモジュール（１１）の部品が前記バーナベース（１５）を含めて１つのユニットに統合され、かつ独立して取扱操作可能なユニットを形成するように互いに機械的に連結されており、前記ガス弁が前記バーナベース（１５）に統合されていることを特徴とするガスバーナモジュール。
【請求項２】
前記ガスバーナモジュールが、ガス管またはいわゆるフロートレール管（３３）に直接的に接続するためにガス接続部（１７）を備えていることを特徴とする請求項１に記載のガスバーナモジュール。
【請求項３】
位置決め管（２９）が前記バーナベース（１５）から前記ガス管またはフロートレール管（３３）内に達し、前記バーナベース（１５）と前記ガス管（３３）との間の連結部が固定金具（１８）に気密に形成されていることを特徴とする請求項２に記載のガスバーナモジュール。
【請求項４】
前記電子制御装置（２７）が、ガスレンジ制御装置（３１）に接続されるように、使用者に対するインターフェースとしての操作要素を備えた操作装置に接続されるように形成されていることを特徴とする請求項１〜３のいずれか一項に記載のガスバーナモジュール。
【請求項５】
前記ガス弁が比例弁であり、および前記ガス弁が圧電式曲げ梁によって操作可能なガス弁として形成されていることを特徴とする請求項１〜４のいずれか一項に記載のガスバーナモジュール。
【請求項６】
前記バーナベース（１５）が前記ガス弁の一部であり、かつ前記ガス弁のケーシングを形成するように、前記ガス弁が前記バーナベース（１５）に気密に組み込まれていることを特徴とする請求項１〜５のいずれか一項に記載のガスバーナモジュール。
【請求項７】
前記ガスバーナモジュールが残熱表示器を備えていることを特徴とする請求項１〜６のいずれか一項に記載のガスバーナモジュール。
【請求項８】
残熱を検出するために温度センサが前記ガスバーナモジュール（１１）に設けられていることを特徴とする請求項１〜７のいずれか一項に記載のガスバーナモジュール。
【請求項９】
請求項１〜８のいずれか一項に記載の複数のガスバーナモジュール（１１ａ〜１１ｄ）を備えたガスレンジであって、前記ガスレンジ（３０）が１本のガス管またはフロートレール管（３３）と、使用者に対するインターフェースとしての操作要素を備えた少なくとも１個の操作装置（２７）とを備え、すべての前記ガスバーナモジュール（１１ａ〜１１ｄ）が同じガス管またはフロートレール管（３３）に接続されていることを特徴とするガスレンジ（３０）。
【発明の詳細な説明】
【技術分野】
【０００１】
本発明は、ガスレンジ用のガスバーナモジュール並びにこのようなガスバーナモジュールを複数個備えたガスレンジに関する。
【先行技術文献】
【特許文献】
【０００２】
【特許文献１】独国特許出願ＤＥ１０２００８１４８４１．５
【発明の概要】
【発明が解決しようとする課題】
【０００３】
本発明の根底をなす課題は、従来技術の問題を回避することができ、特に有利に取扱操作可能および製作可能なガスバーナモジュールを作り出すことができる、冒頭に述べたガスバーナモジュール並びに冒頭に述べたガスレンジを提供することである。
【課題を解決するための手段】
【０００４】
この課題は、請求項１の特徴を有するガスバーナモジュールと、請求項９の特徴を有するガスレンジとによって解決される。本発明の有利で好ましい実施形態は、他の請求項の対象であり、次に詳しく説明する。特許請求の範囲の文面は明確に引用することによってこの明細書の内容となる。さらに、同一出願人の２００８年３月７日出願の特許文献１の文面は明確に引用することによって本明細書の内容となる。
【０００５】
ガスバーナモジュールは点火兼監視電極を有するガスバーナと、電子制御装置と、点火用電子装置とを備えている。同様に、炎監視装置とガス弁が設けられている。本発明に従い、ガスバーナモジュールを機能させるために必要なガスバーナモジュールのこれらの上記部品は、１つのユニットに統合され、かつ互いに機械的に連結されているかまたは組み立てられている。このユニットは、独立して取扱操作可能に、すなわち、言わば完成したユニットとしてガスレンジに組み込むことができるように形成されている。ガス供給部への接続と電気的な接続を行うだけでよい。それによって、一方では最適な相互作用が保証されるように、ガスバーナモジュールまたはユニットのための構成要素を良好に形成するかまたは互いに調和させることができる。さらに、ユニットまたはガスバーナモジュールのメーカーによって組み立てを正しく行い、それによって最大限の動作信頼性が保証されると共に最適な機能が保証される。
【０００６】
本発明の発展形態では、ガスバーナモジュールが、ガスレンジ内に延在するガス管、例えば、いわゆるフロートレール管（Ｇａｌｅｒｉｅｒｏｈｒ）に直接的に取付けて接続することができるガス接続部を備えている。その際、このガス接続部が固定金具を備えているかまたはそのようなものを備えていると有利である。この固定金具とそのようなものはガス管に対するしっかりした機械的連結を行う働きをする。それによって、ガス接続部は気密で確実な連結部としてガス管上にそのまま存在する。かかる固定金具は、例えば、均等で確実な固定のために、ガス接続部の両側でガス管にかぶさっている。
【０００７】
本発明の実施形態では、ガス管のためのガス接続部がバーナベースの一方の側に設けられている。この場合、バーナベースは言わばガスバーナモジュールの基礎部を形成している。ガス接続部は、ガス管がバーナベースひいてはガス接続部の近くを通過し、かつ固定金具によってバーナベースに保持されるように形成されている。その際、固定金具がバーナベースに固定可能であると有利である。
【０００８】
本発明の他の実施形態では、位置決め管（Ｚｅｎｔｒｉｅｒｒｏｈｒ）をガス接続部に設けることができる。この位置決め管は特に、ガス管に固定した状態で、ガス接続部またはバーナベースからガス管内に達している。ガスレンジの組み立ての際ガスバーナモジュールをガス管に取付けるときに、バーナベースとガス管との間の連結部を気密に形成することができる。従って、ガス供給部は、ガス管から位置決め管またはガス接続部と適当な導管を経てガスバーナモジュールのガス弁に達している。その際、バーナベースがガス供給部の一部を形成してもよい。
【０００９】
本発明の他の実施形態では、電子制御装置が、ガスレンジの制御装置に接続されるようにあるいは特にこのガスレンジの制御装置によって駆動制御されるように形成可能である。そのために、ガスレンジ制御装置は操作要素を有する操作装置を備えているかまたはこのようなものを備えている。この場合、操作要素は使用者に対する公知のインターフェースとしての働きをする。さらに、ガスバーナモジュールの電子制御装置は、同じガスレンジの他のガスバーナモジュールに接続されて協働するようにあるいはすべて同一に形成されていると有利である他のガスバーナモジュールの電子制御装置に接続されて協働するように形成可能である。これは、ガスバーナモジュールとガスレンジ制御装置との間に適当なケーブルを有する内部バスシステムを介して有利に行うことができる。さらに、電力供給部と共に電源装置を設けることができる。この電源装置には操作装置が接続される。電子制御装置に点火兼監視電極のための制御装置が統合されていると有利である。
【００１０】
ガス弁が比例弁である有利である。このガス弁は圧電式、磁気式または電動式の駆動装置を備えることができる。特に、ガス弁は圧電式曲げ梁によって操作可能であり、しかも使用者が上記の操作装置の操作要素を介して設定した制御命令に従って操作可能である。
【００１１】
上記のバーナベースは台のように形成可能である。バーナベースはガスバーナモジュールを支持可能であるかまたはこのガスバーナモジュールがバーナベース上に組み立て可能であり、バーナベースはガス弁を含んでいる。ガス弁はバーナベースに統合可能であり、この場合、インサートとしてバーナベース内に気密に組み込まれていると有利である。ガス管に接続されたガス接続部からガス弁までのガスの導管は、ガス接続部自体に設けられた一体の突出する短い導管部分によってあるいはガス弁に設けられた一体の突出する短い導管部分によって形成可能である。
【００１２】
本発明の実施形態では、ガスバーナモジュールに残熱表示器を設けることができる。そのために、残熱を検出するために温度センサがガスバーナモジュールに設けられているかあるいはガスバーナの近くに設けられていると有利である。温度センサは載置されたポットまで達していてもよい。さらに、例えば、ポットを設置した支持体上の荷重によって、公知と類似してポットを誘導的にまたは機械的に認識するポット認識装置を設けることができる。さらに、ポットがガスバーナ上に存在するかどうかを下側から光学的に監視することができる。
【００１３】
前述した本発明に係るガスレンジの場合には、１本のガス管またはフロートレール管を設けると有利である。このガス管またはフロートレール管は、平面状に分配配置されたガスバーナモジュールの外側を通過するように取り巻いて形成可能である。従って、ガス管またはフロートレール管はすべてのガスバーナモジュールにガスを供給することができる。ガス管がガスレンジの外周近くに延在していると、ガス管を比較的に大きな半径で曲げることができるという利点がある。これはガス管の製作および加工を簡単にする。さらに、例えば、分配配置された４個のガスバーナモジュールを有するガスレンジの場合に、その中央のスペースに、５番目のガスバーナモジュール、制御ユニットまたは電源装置を挿入配置することができる。この５番目のガスバーナモジュールには、ガス供給のためにガス管の自由端が案内されている。
【００１４】
特に上記のガスレンジ制御装置を備えたユニットまたはモジュールとしての操作装置が同様に、ガスレンジの外側エッジの近くに設けられていると有利である。操作装置は拡張されて電源装置とガス管用主弁を備えることができる。この主弁はすべてのガスバーナモジュールをガス供給部から切り離すことができる。その代わりに、電源装置と主弁用主弁制御装置を、純粋な操作装置から分離された機構グループとして形成することができ、そして比較的に自由に配置することができ、かつガス接続部の外側に設けられたガス管の端部のできるだけ近くに配置することができる。
【００１５】
これらの特徴および他の特徴は、特許請求の範囲のほかに、明細書と図面からも明らかである。本発明の実施形態においておよび他の分野において、個々の特徴はそれぞれ単独でもまた複数個を互いに組み合わせても実施可能であり、ここでは、保護を請求する単独で保護可能な有利な実施である。本願を個々の段落および中間見出しに分割することは、これらの下になされた表現の普遍妥当性を制限しない。
【００１６】
本発明の実施形態が図に略示してある。次に、この実施形態を詳しく説明する。
【図面の簡単な説明】
【００１７】
【図１】本発明に係るガスバーナモジュールを上側から見た斜視図である。
【図２】本発明に係るガスバーナモジュールを上側から見た斜視図である。
【図３】図１のガスバーナモジュールの分解斜視図である。
【図４】図１のガスバーナモジュールの分解斜視図である。
【図５】４個のガスバーナモジュールを備えたガスレンジである。
【発明を実施するための形態】
【００１８】
図１と図２には、組み立て済のガスバーナモジュール１１が斜視図で示してある。このガスバーナモジュールはガスバーナ１３を備えている。このガスバーナがバーナベース１５に着座しているので、バーナベース１５は一種の台を形成している。ガス接続部１７が設けられ、このガス接続部は取り外し可能でねじ止め可能な固定金具１８を備えている。この固定金具は円筒状の通路を形成している。
【００１９】
ガスバーナ１３は、従来技術からそれ自体知られているように、バーナポット１９とバーナ蓋２０を備えている。その下方においてバーナベース１５上に、ガスをガスバーナ１３に流すためのノズル２２が設けられている。そのために、ノズル２２の下方には、冒頭で詳細に説明したように、図示していないガス弁が設けられている。ガスは下方から正圧でノズル２２を経てバーナポット１９内に流れ、側方の穴から出て、そして燃焼空気と共に燃えて炎を形成する。上側にバーナ蓋２０が設けられている。このバーナ蓋はバーナポットホルダ２１に取り外し可能に保持可能であり、このバーナ蓋によってガス流はバーナポット１９の穴から側方へ向きを変えられる。
【００２０】
図２から明らかなように、ガス接続部１７の他の側において、点火電極２４がガスバーナモジュール１１に設けられている。この点火電極は絶縁ホルダ２５によってガスバーナ１３またはバーナポットホルダ２１に固定され、そしてガスまたはガス混合物の点火機能と、炎監視機能とを同時に発揮するように形成されている。そのために、点火電極は点火用の高電圧火花点火装置を備えている。炎監視のために、電離炎監視装置を使用することができる。その代わりに、グロー要素を介して点火を行うことができ、熱電対によって炎を監視することができる。ガスバーナモジュール１１またはバーナベース１５の下面には、制御装置２７が設けられている。
【００２１】
図３と図４には、ガスバーナモジュール１１が分解して示してある。バーナポット１９がバーナポットホルダ２１に載置されている構造が明らかである。これらの図にはさらに、ガス接続部１７の位置決め管２９が示してある。この位置決め管を介してガス管の接続が行われる。類似の方法で２回路ガスバーナを形成することができる。すなわち、完成したガスバーナモジュールとして形成することができる。その際、異なるように形成されたガスバーナと、２個のノズルと、バーナベースに統合されたガス弁が設けられている。点火電極は１個で十分である。
【００２２】
図５にはガスレンジ３０が示してある。このガスレンジは、通常のごとく分配配置された４個のガスバーナモジュール１１ａ〜１１ｄを備えている。ガスレンジ３０は前側領域にガスレンジ制御装置３１を備えている。このガスレンジ制御装置３１は普通のガスレンジのための普通の制御装置であり、例えば、カバーと、操作要素としての接触スイッチと、特に容量型センサ要素を備えている。さらに、右側領域には、ガスレンジ制御装置３１から分離して、電源装置３２が示してある。この電源装置は主弁３５のための主弁制御装置を備えている。
【００２３】
ガスレンジ３０の外側エッジに沿ってフロートレール管３３が延在し、すべてのガスバーナモジュール１１ａ〜１１ｄまで案内されている。フロートレール管は第１ガスバーナモジュール１１ｄに接続する前に、主弁３５を備えている。この主弁は電源装置３２の主弁制御装置に接続されている。この主弁３５は電子的に制御可能であり、ガスレンジ３０のスイッチを切った際にフロートレール管３３ひいてはガス供給部を確実に遮断する。
【００２４】
どのようにしてガスバーナモジュール１１ｃ、１１ｄがそれぞれのガス接続部１７と固定金具１８によってフロートレール管３３に接続されているかがわかる。その際、前述の位置決め管２９が穴を通ってフロートレール管３３内に達している。この連結部はシールされている。
【００２５】
制御装置２７は点火、点火監視、ガス弁制御および上位の制御装置または操作装置３１との通信のための電子部品を備えている。そのために、制御装置は、好ましくはＣクラスのソフトウェアを有する少なくとも１個のマイクロコントローラを備えていてもよい。操作部材、主弁制御装置およびガスバーナモジュール１１の間の通信は、フェールセーフに形成されたバス接続線を介して行われる。そのために好ましくはＬＩＮプロトコルが使用される。安全性を高めるために、ガスバーナモジュール１１と主弁制御装置３２との間に付加的な電気配線が設けられている。この電気配線を介して主弁への電圧供給が行われる。ガスバーナモジュール毎に切換え要素を直列配置することにより、主弁を各加熱要素から切り離すことができる。
【００２６】
ガスバーナモジュール１１とガスレンジ制御装置３１の電流供給は、電源装置３２を介して行われる。そのために必要な導線は、図示していないバスコネクタに統合されている。
【００２７】
ガスバーナモジュール１１は設定変更可能に形成されている。有線で接続されたインターフェースまたは無線のインターフェースを介して、いろいろなパラメータをプログラミングすることができる。それには、例えば、ガスレンジ３０内の幾何学的位置、ガスバーナモジュール１１の定格出力、ガスの種類および弁特性が含まれる。
【００２８】
個々のガスバーナモジュール１１の図示と、図５のガスレンジ３０全体の図示とから明らかなように、モジュール状に予め製作されたガスバーナモジュール１１を準備することにより、ガスレンジを比較的に簡単に構成することができると同時に、可変性が大である。すなわち、ガスバーナモジュール１１をレンジ３０に固定し、フロートレール管３３によってガス供給部に接続し、そして電気的な端子を含めた制御導線をガスレンジ制御装置３１に提供するだけでよい。それによって、特に、フロートレール管３３への接続が正しく行われている限り、組み立て時の故障原因なしに、ガスレンジ３０をきわめて可変に構成することができる。さらに、ガスバーナモジュール１１ｂ、１１ｃのバーナポット１９とバーナ蓋２０が大きいことがわかる。これは、これらのガスバーナモジュールが大きな出力のために設計され、それに伴い多くのガスの燃焼によって大きな加熱出力を生じることを意味する。
【図１】
0005518749.tif 000002
【図２】
0005518749.tif 000003
【図３】
0005518749.tif 000004
【図４】
0005518749.tif 000005
【図５】
0005518749.tif 000006